(57)【要約】【課題】営巣箱を電気設備に近づけることができる電柱用鳥類営巣補助具を提供する。【解決手段】営巣補助具１０は、ラックレール１と昇降装置３を備える。ラックレール１は、電柱Ｐに沿って上下方向に配置している。昇降装置３は、ラックレール１と離脱困難に連結し、昇降運動のみが許容されている。営巣補助具１０は、移動台４、回転台５、及び、営巣箱６を備える。移動台４は、昇降装置３の前方に配置している。移動台４は、電柱Ｐの遠心方向に略水平移動できる。回転台５は、その後部が移動台４の前部と回転軸４ｓで回動自在に連結している。営巣箱６は、回転台５の前部に固定している。昇降装置３と移動台４の連結状態、及び、移動台４と回転台５の連結状態を変えることで、営巣箱６を電気設備に近づけることができる。【選択図】図１
2019193399.tif 000002
【特許請求の範囲】
【請求項１】
少なくとも電柱を含む柱体に沿って上下方向に配置したラックレールと、
前記ラックレールと離脱困難に連結し、前記ラックレールに対して昇降運動のみが許容される昇降装置と、
前記昇降装置の前方に配置した状態で、前記柱体の遠心方向に略水平移動自在な移動台と、
後部が前記移動台の前部と略水平方向に回動自在に連結した略矩形の回転台と、
前記回転台の前部に取り付け、鳥類の営巣を誘引する営巣箱と、を備えている、電柱用鳥類営巣補助具。
【請求項２】
前記昇降装置は、直方体状の外殻を構成した歯車箱を備え、
前記歯車箱は、
前記ラックレールに噛み合う一つ以上のスプロケットと、
前記スプロケットと同軸上に固定されたウォームギヤと、
前記ウォームギヤと噛み合うウォームと、
前記ウォームと同軸上に固定した第１ベベルギヤと、
前記第１ベベルギヤと噛み合う第２ベベルギヤと、を内部に有し、
前記第２ベベルギヤは、その入力軸を前記歯車箱の外部に突出している、請求項１記載の電柱用鳥類営巣補助具。
【請求項３】
前記第２ベベルギヤの入力軸に固定したプーリと、
前記プーリに巻き掛けし、地上に向って垂下したボールチェーンと、を更に備え、
前記ボールチェーンを地上から操作することで、前記営巣箱を昇降させる、請求項２記載の電柱用鳥類営巣補助具。
【請求項４】
前記ラックレールは、互いに下り傾斜した斜面で両側面を形成した、断面視Ω字状のチャンネル部材からなり、
前記歯車箱は、
前記ラックレールの軌道面に転動自在な一つ以上の第１ローラと、
前記ラックレールの斜面に転動自在な一組以上の第２ローラと、を更に有し、
前記第１ローラと一組の前記第２ローラが協働して、前記ラックレールと離脱困難に、前記ラックレールを三点支持している、請求項２又は３記載の電柱用鳥類営巣補助具。
【発明の詳細な説明】
【技術分野】
【０００１】
本発明は、電柱用鳥類営巣補助具に関する。特に、電柱を含む柱体に営巣箱を設置することで鳥類の営巣を誘引し、これにより特定の場所への営巣を回避すると共に、ヒナが巣立った後には、鳥類の巣を容易に除去できる電柱用鳥類営巣補助具の構造に関する。
【背景技術】
【０００２】
例えば、カラスなどの鳥類が送電鉄塔又は電柱などに飛来し、営巣する季節がある。鳥類が送電鉄塔又は電柱に営巣すると、電気設備に様々なトラブルを発生させる原因となる。例えば、カラスは、巣材に金属性ハンガーなどの導電材を用いるケースが多く、これら巣材の電気設備への落下・接触が短絡や地絡事故を発生させる原因となることがある。又、カラスの卵をねらって蛇が登って、電気設備に感電することで停電の原因になることもある。
【０００３】
このため、従来は、送電鉄塔又は電柱の営巣し易い個所に針山状の鳥除けを設置し、又は、水糸などの障害物を張設して、鳥類が電気設備に止まり難くすることで、鳥類の営巣を回避しようとしていた。しかし、このような障害物を設置したとしても、鳥類の営巣を防ぐことは容易でなかった。
【０００４】
そこで、発想を転換し、電柱を含む柱体に営巣箱を設置することで鳥類の営巣を誘引し、これにより特定の場所への営巣を回避する電柱用鳥類営巣補助具が開示されている（例えば、特許文献１参照）。
【０００５】
しかし、特許文献１による電柱用鳥類営巣補助具は、ヒナが巣立った後の鳥類の巣を取り除くときには、作業員が高所まで上がる必要があるため、巣の除去作業に手間を要するだけでなく、高所作業による安全性を確保することが容易でないという問題があった。
【０００６】
特許文献１による電柱用鳥類営巣補助具は、上記のような不具合があるので、特定の場所に鳥類の営巣を誘引することで営巣されたくない場所への営巣を回避すると共に、ヒナが巣立った後には、巣を容易に除去できる送電鉄塔用鳥類営巣補助具が開示されている（例えば、特許文献２参照）。
【先行技術文献】
【特許文献】
【０００７】
【特許文献１】特開２０１３−１１６０５８号公報
【特許文献２】特開２００７−１０４９６６号公報
【発明の概要】
【発明が解決しようとする課題】
【０００８】
図８は、従来技術による送電鉄塔用鳥類営巣補助具の構成を示す斜視図である。なお、本願の図８は、特許文献２の図３に相当している。
【０００９】
図８を参照すると、従来技術による送電鉄塔用鳥類営巣補助具（以下、営巣補助具と略称する）９は、網目状に形成した直方体状の営巣箱９１と昇降装置９２を備えている。営巣箱９１は、その内部に鳥類の営巣を促進できる。昇降装置９２は、骨組みした鉄塔８に沿って、鉄塔８の高さ方向に営巣箱９１を昇降できる。
【００１０】
図８に示した実施例では、鉄塔８は、骨組みの外形を上面視で矩形に構成している。図８を参照すると、鉄塔８は、鉛直方向に延びる四つの主柱材８１を備えている。主柱材８１は、その基端部が地盤に支持されている。又、鉄塔８は、複数の斜材８２と水平材８３を備えている。複数の斜材８２と水平材８３は、補強板８１ｒを介して、主柱材８１に両端部が固定されている。鉄塔８は、これらの部材を相互に固定することで、トラス構造を構成している。
【００１１】
図８を参照すると、昇降装置９２は、一組の紐体９２ｂ・９２ｂと一対のプーリ９２ｐ・９２ｐを備えている。昇降装置９２は、水平状態に配置したシャフト９２ｓとストップピン９２ａを備えている。
【００１２】
図８を参照すると、紐体９２ｂは、プーリ９２ｐに巻き掛けしている。そして、紐体９２ｂは、地上に向って垂下している。シャフト９２ｓは、鉄塔８に支持されている。又、シャフト９２ｓは、一対のプーリ９２ｐ・９２ｐを回転自在に両端部に支持している。
【００１３】
図８を参照すると、一組の紐体９２ｂ・９２ｂは、それらの一端部側を営巣箱９１の両側辺に固定している。又、紐体９２ｂは、その一端部側と他端部側をループさせている。
【００１４】
図８に示した状態から、一組の紐体９２ｂ・９２ｂの他端部側を地上から引っ張ることで、営巣箱９１を上昇できる。一方、図８に示した状態から、一組の紐体９２ｂ・９２ｂの他端部側を解放すること、又は、一組の紐体９２ｂ・９２ｂの一端部側を地上から引っ張ることで、営巣箱９１を下降できる。
【００１５】
図８を参照すると、ストップピン９２ａは、一組の斜材８２・８２の交差部から突出している。紐体９２ｂを操作して、営巣箱９１を上昇させると、営巣箱９１の後面枠体の窪み部に、ストップピン９２ａが相対的に導入されることで、鉄塔８に対して、営巣箱９１をガタツキ無く位置決め及び保持できる。
【００１６】
特許文献２による営巣補助具９は、営巣箱９１を所定位置まで上昇させた後に、一組の紐体９２ｂ・９２ｂを地上近くの鉄塔８に止着又係留することで、営巣箱９１が自重により落ちてくることのないように、できるとしている。
【００１７】
しかし、特許文献２による営巣補助具９は、紐体９２ｂが破損又は破断すると、営巣箱９１が自重により落ちてくる心配がある。営巣箱が自重により落ちてくる心配の無い、鳥類営巣補助具が求められている。
【００１８】
又、特許文献２による営巣補助具９を電柱に適用しようとすると、電柱には、ステップボルトなどが外周方向に突出しているので、営巣箱を高さ方向に案内するレールの取り付け位置は限定される。一方、営巣箱は、電柱に設置した変圧器又は開閉器などの電気設備に近づけことが好ましいので、従来技術による送電鉄塔用鳥類営巣補助具の構造を採用することは、困難であるという問題がある。
【００１９】
営巣箱を高さ方向に案内するレールの取り付け位置に限定されることなく、営巣箱を電気設備に近づけることができる、電柱用鳥類営巣補助具が求められている。そして、以上のことが本発明の課題といってよい。
【００２０】
本発明は、このような課題に鑑みてなされたものであり、営巣箱が容易に落ちてことなく、営巣箱を電気設備に容易に近づけることができる、電柱用鳥類営巣補助具を提供することを目的とする。
【課題を解決するための手段】
【００２１】
本発明者は、電柱に沿って取り付けたラックレール、ラックレールと離脱困難に連結し、昇降運動のみが許容される昇降装置、電柱の遠心方向に移動自在な移動台、及び、移動台と略水平方向に回転自在に連結し、営巣箱を取り付けた回転台で電柱用鳥類営巣補助具を構成し、昇降装置と移動台の連結状態、及び、移動台と回転台の連結状態を変えることで、営巣箱を電気設備に容易に近づけることができると考え、これに基づいて、以下のような新たな電柱用鳥類営巣補助具を発明するに至った。
【００２２】
（１）本発明による電柱用鳥類営巣補助具は、少なくとも電柱を含む柱体に沿って上下方向に配置したラックレールと、前記ラックレールと離脱困難に連結し、前記ラックレールに対して昇降運動のみが許容される昇降装置と、前記昇降装置の前方に配置した状態で、前記柱体の遠心方向に略水平移動自在な移動台と、後部が前記移動台の前部と略水平方向に回動自在に連結した略矩形の回転台と、前記回転台の前部に取り付け、鳥類の営巣を誘引する営巣箱と、を備えている。
【００２３】
（２）前記昇降装置は、直方体状の外殻を構成した歯車箱を備え、前記歯車箱は、前記ラックレールに噛み合う一つ以上のスプロケットと、前記スプロケットと同軸上に固定されたウォームギヤと、前記ウォームギヤと噛み合うウォームと、前記ウォームと同軸上に固定した第１ベベルギヤと、前記第１ベベルギヤと噛み合う第２ベベルギヤと、を内部に有し、前記第２ベベルギヤは、その入力軸を前記歯車箱の外部に突出していることが好ましい。
【００２４】
（３）前記第２ベベルギヤの入力軸に固定したプーリと、前記プーリに巻き掛けし、地上に向って垂下したボールチェーンと、を更に備え、前記ボールチェーンを地上から操作することで、前記営巣箱を昇降させることが好ましい。
【００２５】
（４）前記ラックレールは、互いに下り傾斜した斜面で両側面を形成した、断面視Ω字状のチャンネル部材からなり、前記歯車箱は、前記ラックレールの軌道面に転動自在な一つ以上の第１ローラと、前記ラックレールの斜面に転動自在な一組以上の第２ローラと、を更に有し、前記第１ローラと一組の前記第２ローラが協働して、前記ラックレールと離脱困難に、前記ラックレールを三点支持していることが好ましい。
【発明の効果】
【００２６】
本発明による電柱用鳥類営巣補助具は、電柱に対するレールの取り付け位置に限定されることなく、営巣箱を電気設備に近づけることができる。
【００２７】
又、本発明による電柱用鳥類営巣補助具は、出力側からの動力が入力側に伝動することなく維持される不可逆な機構を昇降装置に備えているので、昇降装置が下降することなく、営巣箱の停止時の姿勢を保持できる。
【図面の簡単な説明】
【００２８】
【図１】本発明の一実施形態による電柱用鳥類営巣補助具の構成を示す右側面図であり、ボールチェーンを地上から操作して、電柱用鳥類営巣補助具を上昇させた状態図である。
【図２】前記実施形態による電柱用鳥類営巣補助具の構成を示す右側面図であり、昇降装置を構成する歯車箱を縦断面で示している。
【図３】前記実施形態による電柱用鳥類営巣補助具の構成を示す平面図であり、昇降装置を構成する歯車箱を横断面図で示している。
【図４】前記実施形態による電柱用鳥類営巣補助具の構成を示す正面図である。
【図５】前記実施形態による電柱用鳥類営巣補助具に備わる昇降装置の構成を示す斜視分解組立図である。
【図６】前記実施形態による電柱用鳥類営巣補助具に備わるラックレールの構成を示す平面図である。
【図７】前記実施形態による電柱用鳥類営巣補助具に備わるラックレールの構成を示す右側面図である。
【図８】従来技術による送電鉄塔用鳥類営巣補助具の構成を示す斜視図である。
【発明を実施するための形態】
【００２９】
以下、図面を参照して本発明を実施するための形態を説明する。
［電柱用鳥類営巣補助具の構成］
最初に、本発明の一実施形態による電柱用鳥類営巣補助具の構成を説明する。
【００３０】
（全体構成）
図１から図４を参照すると、本発明の一実施形態による電柱用鳥類営巣補助具（以下、営巣補助具と略称する）１０は、ラックレール１と昇降装置３を備えている。ラックレール１は、断面視Ω字状のチャンネル部材からなっている（図３参照）。そして、ラックレール１は、電柱Ｐに沿って上下方向に配置されている。
【００３１】
図１から図４を参照すると、昇降装置３は、ラックレール１と離脱困難に連結している。又、昇降装置３は、ラックレール１に対して昇降運動のみが許容されている。
【００３２】
図１から図４を参照すると、営巣補助具１０は、平板状の矩形の移動台４、略矩形の回転台５、及び、網目状に形成した直方体状の営巣箱６を備えている。移動台４は、昇降装置３を構成する歯車箱３０の前方に配置している。移動台４は、歯車箱３０から突出した一対の支持軸３５・３５とスライド自在に連結している。そして、移動台４は、電柱Ｐの遠心方向に略水平移動できる。
【００３３】
図１から図４を参照すると、回転台５は、その後部が移動台４の前部と回転軸４ｓで回動自在に連結している。移動台４に対して、回転台５は、その前部を略水平方向に回動できる。移動台４に対して、回転台５の前部を時計方向に回動でき、移動台４に対して、回転台５の前部を反時計方向に回動できる（図３参照）。
【００３４】
図１から図４を参照すると、営巣箱６は、一方の面を開口している。又、営巣箱６は、他方の面を回転台５の前部に固定している。電柱Ｐに装柱した変圧器又は開閉器などの電気設備（図示せず）に、営巣箱６を近づけることで鳥類の営巣を営巣箱６に誘引できる。
【００３５】
図１から図４を参照すると、実施形態による営巣補助具１０は、昇降装置３と移動台４の連結状態、及び、移動台４と回転台５の連結状態を地上で変えることで、営巣箱６を電気設備に容易に近づけることができる。
【００３６】
（ラックレール及び昇降装置の構成）
次に、実施形態によるラックレール１及び昇降装置３の構成を説明する。図４又は図５を参照すると、ラックレール１は、複数のスプロケットホール１１をその軌道面に二列に連設している。昇降装置３は、直方体状の外殻を構成した歯車箱３０を備えている。
【００３７】
図２又は図３及び図５を参照すると、歯車箱３０は、スプロケットホール１１に噛み合う一対のスプロケット３ａ・３ａを内部に有している。これらのスプロケット３ａ・３ａは、その回転中心が回転軸３１ａに固定されている。回転軸３１ａの両端部は、ベアリング３１ｂを介して、一対のハウジング３１ｃ・３１ｃで支持されている。これらのハウジング３１ｃ・３１ｃは、歯車箱３０の両側面に取り付けている。
【００３８】
図２又は図３及び図５を参照すると、歯車箱３０は、一対のスプロケット３ａ・３ａと同軸上に固定されたウォームギヤ３ｂを内部に有している。又、歯車箱３０は、ウォームギヤ３ｂと噛み合うウォーム３ｃを内部に有している。ウォームギヤ３ｂとウォーム３ｃは、ウォーム３ｃの回転運動をウォームギヤ３ｂに伝動できる歯車伝動装置を構成しているが、ウォームギヤ３ｂの回転運動をウォーム３ｃに伝動できない不可逆の機構を構成している。
【００３９】
図２又は図５を参照すると、歯車箱３０は、一対のステイ３ｓ・３ｓを内部に設けて、歯車箱３０を補強している。ウォーム３ｃの一方の軸端は、円錐状に形成され、一方のステイ３ｓに設けたピポッド軸受で支持されている。ウォーム３ｃの他方の軸は、他方のステイ３ｓに設けたベアリングで回転支持されている。又、ハウジング３２ｃは、ウォーム３ｃの他方の軸のスラスト方向の移動を規制している。
【００４０】
図２又は図５を参照すると、歯車箱３０は、第１ベベルギヤ３１ｇと第２ベベルギヤ３２ｇを内部に有している。第１ベベルギヤ３１ｇは、ウォーム３ｃの同軸上に固定している。第２ベベルギヤ３２ｇは、第１ベベルギヤ３１ｇと噛み合っている。第２ベベルギヤ３２ｇは、その回転運動を第１ベベルギヤ３１ｇに伝動できる。
【００４１】
図５を参照すると、第２ベベルギヤ３２ｇは、その入力軸３２１を歯車箱３０の外部に突出している。入力軸３２１は、キー溝付きのリテーナ３２２の中心部に固定されている。リテーナ３２２は、プーリ３ｐの中心穴３２ｈに嵌合できる。リテーナ３２２とプーリ３ｐの中心穴３２ｈに図示しないキーを挿入することで、プーリ３ｐに対して、リテーナ３２２を回り止めできる。
【００４２】
図１から図５を参照すると、プーリ３ｐには、ボールチェーン２ｃを巻き掛けしている。ボールチェーン２ｃは、地上に向って垂下している。ボールチェーン２ｃを地上で操作すると、プーリ３ｐを一方の方向又は他方の方向に回転できる。プーリ３ｐとボールチェーン２ｃは、巻き掛け伝動装置を構成している。
【００４３】
図２又は図５を参照して、プーリ３ｐを回転すると、この回転が第２ベベルギヤ３２ｇ→第１ベベルギヤ３１ｇ→ウォーム３ｃ→ウォームギヤ３ｂ→一対のスプロケット３ａ・３ａへと伝動される。そして、一対のスプロケット３ａ・３ａがラックレール１に噛み合って、昇降装置３を高さ方向に移動できる。つまり、ラックレール１に対して、昇降装置３を昇降できる。
【００４４】
実施形態による営巣補助具１０は、一対のスプロケット３ａ・３ａによる出力側からの動力がプーリ３ｐによる入力側に伝動することなく維持される不可逆な機構を昇降装置３に備えているので、昇降装置３が下降することなく、営巣箱６の停止時の姿勢を保持できる。
【００４５】
（ラックレール及び昇降装置の構成）
引き続き、実施形態による営巣補助具１０の構成を更に詳細に説明する。図１又は図６及び図７を参照すると、電柱用鳥類営巣補助具１０は、ラックレール１を電柱Ｐに固定するための複数のバンド１２を備えている。バンド１２は、所定の曲率で湾曲した一対のバンド片１２ｈ・１２ｈで構成されている。
【００４６】
図６及び図７を参照すると、バンド片１２ｈの一端部には、ナット１２ｎを溶接している。ラックレール１のフランジ１ｆに設けた取り付け穴を介して、ボルト１２ｂをナット１２ｎに締結すると、バンド片１２ｈの一端部をラックレール１のフランジ１ｆに固定できる。
【００４７】
図６及び図７を参照すると、バンド片１２ｈの他端部には、ボルト穴を設けている。そして、一対のバンド片１２ｈ・１２ｈの他端部同士をボルトとナットで締結することにより、一対のバンド片１２ｈ・１２ｈで電柱Ｐを挟持できる。なお、ラックレール１には、一対のバンド片１２ｈ・１２ｈに引っ張られて、一対のフランジ１ｆ・１ｆが開かないように、一対のフランジ１ｆ・１ｆ間をその長手方向に断続的に溶接した補強片１４を設けている。
【００４８】
図５から図７を参照すると、昇降装置３の歯車箱３０の背面には、一対の帯板状のブロック３３・３３を取り付けている。ブロック３３には、支柱を介して、ラックレール１の斜面に転動する一組のローラ３３ｒ・３３ｒを上下方向に配置している。一方、ステイ３ｓには、ラックレール１の軌道面（平面）に転動する一対のローラ３２ｒ・３２ｒを上下方向に配置している。
【００４９】
図５又は図６を参照すると、昇降装置３は、ラックレール１の斜面を支持する一組のローラ３３ｒ・３３ｒ、及びラックレール１の軌道面（平面）を支持するローラ３２ｒがラックレール１を三点支持している。これにより、昇降装置３は、昇降運動のみが許容されている。又、ラックレール１の上端部及び下端部には、ブロック３３に当接可能なストッパ部材１ｓを設けて、昇降装置３の昇降範囲を規制している。
【００５０】
（移動台の構成）
次に、実施形態による移動台４の構成を説明する。図１から図４を参照すると、移動台４は、一組の蝶ボルト４ｂ・４ｂを備えている。又、移動台４は、蝶ボルト４ｂの雄ねじ部と螺合する雄ねじ部を後部の両側面に設けている。雄ねじ部は、支持軸３５とスライド自在に案内する貫通穴に連通している。
【００５１】
図３又は図４を参照して、支持軸３５に対して、蝶ボルト４ｂを弛めると、電柱Ｐの遠心方向に移動台４を水平移動できる。支持軸３５に対して、蝶ボルト４ｂを締結すると、移動台４を固定できる。そして、電柱Ｐからの営巣箱６の遠心距離を規定できる。
【００５２】
（回転台の構成）
次に、実施形態による回転台５の構成を説明する。図２又は図３を参照すると、回転台５は、一組の蝶ボルト５ｂ・５ｂを備えている。又、回転台５は、蝶ボルト５ｂの雄ねじ部が挿通できる複数のボルト穴５ｈを後部に開口している、複数のボルト穴５ｈは、それらの中心位置が回転軸４ｓの中心点を中心にした仮想の円周上に配置している。一方、移動台４は、複数のボルト穴５ｈの二つに適合し、蝶ボルト５ｂの雄ねじ部と螺合する雄ねじ部を設けている。
【００５３】
図３を参照して、移動台４及び回転台５から一組の蝶ボルト５ｂ・５ｂを取り外すと、回転軸４ｓを回動中心として回転台５を回転できる。ボルト穴５ｈを介して、一組の蝶ボルト５ｂ・５ｂを移動台４の雌ねじ部に締結すると、回転台５を移動台４に固定できる。そして、移動台４に対する営巣箱６の回動角度を規定できる。
【００５４】
［電柱用鳥類営巣補助具の作用］
次に、実施形態による営巣補助具１０の操作方法を説明しながら、営巣補助具１０の作用及び効果を説明する。図１を参照して、ボールチェーン２ｃの他端部側を引っ張ると、プーリ３ｐを他方の方向に回転できる、これにより、プーリ３ｐの回転運動が一対のスプロケット３ａ・３ａに伝動することで（図５参照）、営巣補助具１０を下降することができる。そして、ヒナが巣立った後の鳥類の巣を営巣箱６から地上で除去できる。
【００５５】
一方、図１を参照して、変圧器又は開閉器などの電気設備（図示せず）を電柱Ｐの上部に新たに設置したときは、図示しない電気設備に営巣箱６が近づくように、昇降装置３と移動台４の連結状態、及び、移動台４と回転台５の連結状態を地上で設定する（図２から図４参照）。
【００５６】
次に、図１を参照して、ボールチェーン２ｃの一端部側を引っ張ると、プーリ３ｐを一方の方向に回転できる、これにより、プーリ３ｐの回転運動が一対のスプロケット３ａ・３ａに伝動することで（図５参照）、営巣補助具１０を上昇することができる。そして、図示しない電気設備に営巣箱６を近づけることができ、営巣箱６に鳥類の営巣を誘引できる。
【００５７】
図１から図７を参照すると、実施形態による営巣補助具１０は、電柱Ｐに対するラックレール１の取り付け位置に限定されることなく、営巣箱６を電気設備に近づけることができる。そして、営巣箱６に鳥類の営巣を誘引できる。
【００５８】
図２から図５を参照すると、実施形態による昇降装置３は、一対のスプロケット３ａ・３ａがラックレール１に噛み合って駆動している。実施形態による昇降装置３は、一方のスプロケット３ａの歯が破損しても、他方のスプロケット３ａがラックレール１に噛み合って駆動でき、故障対策が施されている。
【００５９】
図２から図５を参照すると、実施形態による昇降装置３は、ウォーム３ｃの回転がウォームギヤ３ｂに伝動されるウォームギヤ装置を構成している。このウォームギヤ装置は、ウォーム３ｃを原動車としてよく、従動車であるウォームギヤ３ｂの回転がウォーム３ｃに伝動しない不可逆な機構となっている。
【００６０】
図２から図５を参照すると、ウォーム３ｃの回転を停止すると、ウォーム３ｃとウォームギヤ３ｂとは、相互にロックされる。すなわち、ウォームギヤ３ｂからの動力がウォーム３ｃに伝達することなく、一対のスプロケット３ａ・３ａの停止時の姿勢が保持される。このように、実施形態による昇降装置３は、営巣補助具１０の自重などに影響されない確実な動作が保障される。
【００６１】
図３から図５を参照すると、実施形態による営巣補助具１０は、昇降装置３を駆動する巻き掛け伝動装置をボールチェーン２ｃとボールチェーン２ｃ用のプーリ３ｐで構成している。これにより、ボールチェーン２ｃの操作をプーリ３ｐに確実に伝動できる。
【００６２】
図５又は図６を参照すると、昇降装置３は、ラックレール１の斜面を支持する一組のローラ３３ｒ・３３ｒ、及びラックレール１の軌道面（平面）を支持するローラ３２ｒがラックレール１を三点支持している。これにより、昇降装置３は、昇降運動のみが許容されている。
【００６３】
実施形態による営巣補助具１０は、設置される柱体として電柱を例示したが、実施形態による営巣補助具１０は、地方公共団体などが設置した専用のポールに設置することも可能である。
【符号の説明】
【００６４】
１  ラックレール
３  昇降装置
４  移動台
５  回転台
６  営巣箱６
１０  営巣補助具（電柱用鳥類営巣補助具）
Ｐ  電柱（柱体）
【図１】
2019193399.tif 000003
【図２】
2019193399.tif 000004
【図３】
2019193399.tif 000005
【図４】
2019193399.tif 000006
【図５】
2019193399.tif 000007
【図６】
2019193399.tif 000008
【図７】
2019193399.tif 000009
【図８】
2019193399.tif 000010